(57)【要約】【課題】メンテナンス時の作業性を向上し得る洗濯機を提供する。【解決手段】筐体１と、筐体１内に配設される水槽５と、水槽５内に回転自在に配設される洗濯槽７と、洗濯槽７を回転駆動するモータ９と、水槽５内に配設され、洗濯液を加熱する加熱装置１９と、を備え、筐体１には、扉体３により開閉自在に閉塞される開口２を有し、水槽５には、加熱装置１９を取り付ける取付部２０を設け、取付部２０には、開口２に臨む位置に水槽５の外部から加熱装置１９を水槽５内に挿入する開口部２１を形成する。【選択図】図１
2019146718.tif 000002
【特許請求の範囲】
【請求項１】
筐体と、前記筐体内に配設される水槽と、前記水槽内に回転自在に配設される洗濯槽と、前記洗濯槽を回転駆動する駆動手段と、前記水槽内に配設され、洗濯液を加熱する加熱装置と、を備え、
前記筐体には、扉体により開閉自在に閉塞される開口を有し、前記水槽には、前記加熱装置を取り付ける取付部を設け、前記取付部には、前記開口に臨む位置に前記水槽の外部から前記加熱装置を前記水槽内に挿入する開口部を形成したことを特徴とする洗濯機。
【請求項２】
前記開口を前記筐体の背面に形成したことを特徴とする請求項１に記載の洗濯機。
【請求項３】
前記開口を前記筐体の側面に形成したことを特徴とする請求項１に記載の洗濯機。
【請求項４】
前記水槽底面と前記加熱装置との間に、前記加熱装置の発熱の前記水槽底面への伝達を遮熱する遮熱板を配設したことを特徴とする請求項１から３のいずれか１項に記載の洗濯機。
【請求項５】
前記洗濯槽底面と前記加熱装置との間に、前記加熱装置の上方を覆う加熱板を配設したことを特徴とする請求項１から４のいずれか１項に記載の洗濯機。
【発明の詳細な説明】
【技術分野】
【０００１】
本発明は、衣類等を洗濯する洗濯機に関する。
【背景技術】
【０００２】
従来、この種洗濯機として、洗濯液を昇温させることにより、汚れを落としやすくする洗濯機が提案されている（例えば、特許文献１参照）。
【０００３】
図１５は、従来の洗濯機の断面図である。図１５において、水槽６３に水を供給する給水口６２と、給水口６２から水槽６３に至る給水経路を主水路６４とバイパス経路６５に分岐する切換弁６６とを備え、バイパス経路６５の途中に加熱器６７を設けている。
【先行技術文献】
【特許文献】
【０００４】
【特許文献１】特開２００７−１６７３８５号公報
【発明の概要】
【発明が解決しようとする課題】
【０００５】
しかしながら、この構成では、加熱装置に不具合が生じた場合など加熱装置のメンテナンスを行なう際に、作業性が悪い問題があった。
【０００６】
本発明は、前記従来の課題を解決するもので、メンテナンス時の作業性を向上し得る洗濯機を提供することを目的とする。
【課題を解決するための手段】
【０００７】
前記従来の課題を解決するために、本発明の洗濯機は、筐体と、前記筐体内に配設される水槽と、前記水槽内に回転自在に配設される洗濯槽と、前記洗濯槽を回転駆動する駆動手段と、前記水槽内に配設され、前記洗濯液を加熱する加熱装置と、を備え、前記筐体には、扉体により開閉自在に閉塞される開口を有し、前記水槽には、前記加熱装置を取り付ける取付部を設け、前記取付部には、前記開口に臨む位置に前記水槽の外部から前記加熱装置を前記水槽内に挿入する開口部を形成したものである。
【０００８】
これによって、メンテナンス時の作業性を向上し得る洗濯機を提供することができる。
【発明の効果】
【０００９】
本発明の洗濯機は、メンテナンス時の作業性を向上し得る洗濯機を提供することができる。
【図面の簡単な説明】
【００１０】
【図１】本発明の実施の形態１における洗濯機の扉体を取り外した状態の背面側から見た斜視図
【図２】同断面図
【図３】同洗濯液の循環状態を示す断面図
【図４】同水槽を上方から見た平面図
【図５】同要部拡大図
【図６】同加熱板を取り外した状態の水槽を上方から見た平面図
【図７】同図６のＯ−Ｏ断面図
【図８】同要部拡大平面図
【図９】同要部拡大断面図
【図１０】同水槽を下方から見た斜視図
【図１１】同水槽を上方から見た斜視図
【図１２】同水槽を上方から見た要部拡大平面図
【図１３】本発明の実施の形態２における水槽を上方から見た要部拡大平面図
【図１４】同要部拡大断面図
【図１５】従来の洗濯機の断面図
【発明を実施するための形態】
【００１１】
第１の発明は、筐体と、前記筐体内に配設される水槽と、前記水槽内に回転自在に配設される洗濯槽と、前記洗濯槽を回転駆動する駆動手段と、前記水槽内に配設され、前記洗濯液を加熱する加熱装置と、を備え、前記筐体には、扉体により開閉自在に閉塞される開口を有し、前記水槽には、前記加熱装置を取り付ける取付部を設け、前記取付部には、前記開口に臨む位置に前記水槽の外部から前記加熱装置を前記水槽内に挿入する開口部を形成したものである。
【００１２】
これにより、加熱装置に不具合が生じた場合など、加熱装置のメンテナンスが必要な場合には、洗濯機を扉体が臨む位置まで回転させ、筐体から扉体を取り外すと、加熱装置は、扉体を取り外した開口に臨む位置に配設されているため、扉体を取り外すことにより加熱装置のメンテナンスが可能となる。
【００１３】
第２の発明は、特に、第１の発明の前記開口を前記筐体の背面に形成したものである。
【００１４】
これにより、洗濯機の設置状態で、扉体が見えることがなく、美観を損なうことがなくなる。
【００１５】
第３の発明は、特に、第１の発明の前記開口を前記筐体の側面に形成したことを特徴とする請求項１に記載の洗濯機。
【００１６】
これにより、メンテナンス時の洗濯機の移動量を低減でき、作業性を向上することができる。
【００１７】
第４の発明は、特に、第１から第３のいずれかの発明の前記水槽底面と前記加熱装置との間に、前記加熱装置の発熱の前記水槽底面への伝達を遮熱する遮熱板を配設したものである。
【００１８】
これにより、加熱装置の発熱が直接水槽底面に伝達されるのを抑制することができ、水槽底部の熱劣化を抑制することができる。
【００１９】
第５の発明は、特に、第１から第４のいずれかの発明の洗濯槽底面と前記加熱装置との間に、前記加熱装置の上方を覆う加熱板を配設したものである。
【００２０】
また、加熱装置の上方を加熱板により覆っているので、水槽内を流れる洗濯液の流れを妨げることがなく、乱流の発生を抑制することができる。
【００２１】
以下、本発明の実施の形態について、図面を参照しながら説明する。なお、本実施の形態によって本発明が限定されるものではない。
【００２２】
図１は、本発明の実施の形態における洗濯機の背面から見た分解斜視図、図２は、同洗濯機の縦断面図である。
【００２３】
筐体１は、前面、両側面及び背面を有するロ字状に形成され、背面側に開口２を形成し、開口２を扉体３により開閉可能に閉塞している。扉体３を取り外すことにより、開口２から筐体１内部を臨むことができる。
【００２４】
本実施の形態では、筐体１の背面側に開口２を形成しているので、開口２を介して筐体１内部をメンテナンスできる位置まで筐体１を回動させ、筐体１内部のメンテナンスを行なう。扉体３は、背面に配置することにより、洗濯機の設置時に、使用者の視界に入ることがなく、美観を損なうことがない。
【００２５】
本実施の形態では、筐体１の背面側に開口２を形成したが、側面に形成してもよい。側面に形成すると、メンテナンス時に筐体１の移動量を少なくすることができ、点検作業性を向上することができる。
【００２６】
筐体１の上方には、上部ケース４が装着される。筐体１及び上部ケース４により囲まれる空間には、難燃性の合成樹脂にて形成される有底円筒状の水槽５が支持され、水槽５の中心軸には、回転軸６が配設されている。水槽５内には、回転軸６に連結される洗濯槽７が内装され、洗濯槽７底部には、回転軸６に連結されるパルセータ８が配設されている。水槽５の下方には、モータ９が配設され、モータ９に回転軸６が連結され、モータ９により洗濯槽７とパルセータ８が回転駆動される。
【００２７】
水槽５の上面には、洗濯槽７内に洗濯物を投入するための投入口１０が形成され、投入口１０は、蓋体１１により開閉自在に閉塞される。上部ケース４には、洗濯槽７内に洗濯物を投入するための外投入口（図示せず）が形成され、外投入口は、外蓋１２により開閉自在に閉塞される。
【００２８】
洗濯槽７は、耐食性を有する金属製、本実施の形態では、ステンレスからなる円筒状の側壁７ａと、難燃性の合成樹脂からなる底壁７ｂとを備え、側壁７ａと底壁７ｂとを一体的に固定して構成される。洗濯槽７は、側壁７ａに多数の脱水孔１３を設けると共に、上部には脱水振動低減用の環状の流体バランサー１４を取り付けている。
【００２９】
洗濯槽７には、側壁７ａの相対向する位置に循環水路カバー１５が設けられ、洗濯槽７の側面と循環水路カバー１５との間に循環水路（図示せず）が形成されている。洗濯槽７には、一対の循環水路カバー１５を装着することにより、相対向して２つの循環水路を形成している。循環水路カバー１５及び循環水路は、洗濯槽７の回転時のアンバランスの発生を抑制するために、同一形状に形成することが好ましいが、必要に応じて形状を異ならせても良い。
【００３０】
循環水路カバー１５には、洗濯槽７の上部と中間部に対応する位置に吐出口１６を形成している。吐出口１６は、洗濯槽７の上部または中間部に対応する位置のどちらか一方にのみ形成しても良い。
【００３１】
パルセータ８の下部には、羽根８ａが一体に形成されており、モータ９がパルセータ８を回転すると、羽根８ａの遠心力により洗濯水が外周側へ押し出されて、循環水路を循環し、循環水路の吐出口１６から洗濯槽７内に洗濯液を吐出、散水する。
【００３２】
水槽５底部には、回転軸６を中心として略円弧状に凹部１７が形成されており、水槽５底部は、凹部１７に向かって漸次低くなるように傾斜して形成されている。凹部１７には、凹部１７の一端側に排水口１８が形成されており、凹部１７底面は、排水口１８に向かって漸次低くなるように傾斜して形成されている。排水口１８は、凹部１７において、洗
濯槽７の脱水時の回転方向の先行側の位置に形成されている。洗濯槽７の脱水時における回転方向は、洗濯槽７を上方から見た状態で、時計方向であり、図１１に矢示するＡ方向である。
【００３３】
水槽５の凹部１７には、加熱装置１９が装着される取付部２０が水槽５の凹部１７底部から上方に向かって一体に膨出形成される。加熱装置１９は、水槽５内に供給された洗濯水を加熱するためのものであり、ヒータにより構成している。
【００３４】
取付部２０は、水槽５の側面から凹部１７に亘って形成され、凹部１７底面から上方に膨出形成されている。取付部２０は、天面が水槽５底面と略同じ高さ、あるいは、水槽５底面より少許高い高さに形成されている。取付部２０は、洗濯槽７の回転方向に対して略直交する第１の側面２０ａと、第１の側面２０ａに対して略直交する第２の側面２０ｂを有している。第１の側面２０ａは、底面側から上方になるに従って洗濯槽７の回転方向側に向かって傾斜するように構成されている。第２の側面２０ｂは、略垂直な平面状に形成され、第２の側面２０ｂには、加熱装置１９が水槽５の外側から挿入される開口部２１が形成されている。
【００３５】
加熱装置１９は、ヒータ線を蛇行状に形成し、両端部分を絶縁・断熱機能を有する取付板２２に固定している。取付板２２には、サーミスタにより構成される温度センサ２３が装着されており、温度センサ２３により加熱装置１９の温度を検出している。温度センサ２３は、ヒータ線の両端部分の略中央位置に配設され、加熱装置１９の温度を正確に検出できるようにしている。取付板２２の外周部分には、シール材（図示せず）が設けられ、取付板２２がシール材により取付部２０の第２の側面２０ｂの開口部２１周縁に水密に取り付けられる。
【００３６】
水槽５は、取付部２０の開口部２１が扉体３に対向する位置に位置するように筐体１に装着される。扉体３を開放すると、筐体１の開口２に取付部２０の開口部２１が臨み、開口部２１に装着された加熱装置１９のメンテナンスを行うことが可能となる。
【００３７】
加熱装置１９の下方位置には、金属、本実施の形態では、ステンレスにより形成された遮熱板２４が配設され、遮熱板２４は、凹部１７底面との間に隙間をあけた状態に固定される。加熱装置１９と凹部１７底面との間に遮熱板２４を配設することにより、加熱装置１９の発熱が直接凹部１７に伝達されるのを抑制することができ、水槽５底部の熱劣化を抑制することができる。
【００３８】
本実施の形態では、遮熱板２４は、耐食性を有するために、ステンレスにより形成したが、他の金属材料でもよく、加熱装置１９の熱の水槽５への伝導を抑制でき、難燃性、或いは、不燃性を有する材料であれば、金属以外の材料、例えば、セラミックを用いてもよい。
【００３９】
加熱装置１９の上方位置には、金属、本実施の形態では、ステンレスにより形成された加熱板２５が配設される。加熱板２５には、水槽５の中心側に貫通孔２５ａが形成されている。貫通孔２５ａは、加熱装置１９の上方位置からずれた位置に形成されており、加熱装置１９は、加熱板２５により覆われた状態に構成される。加熱装置１９は、加熱板２５により覆われているので、加熱装置１９からの発熱が直接洗濯槽７に伝道されるのを抑制することができ、洗濯槽７底部の熱劣化を抑制することができる。
【００４０】
加熱板２５は、凹部１７底面から上方に立設された複数のリブ２６により加熱装置１９との間に間隔を保持して固定される。加熱板２５は、水槽５底面及び取付部２０天面と略同じ高さに装着される。加熱板２５は、貫通孔２５ａに向かって漸次高くなるように傾斜
して装着されており、加熱装置１９により加熱された洗濯液が加熱板２５の傾斜により効率よく貫通孔２５ａに導かれる。
【００４１】
本実施の形態では、加熱板２５は、水平に対する傾斜角を３度に設定している。本実施の形態の洗濯機は、設置時に許容される傾斜を水平に対して２度に設定しており、洗濯機が２度傾斜して設置された場合でも、加熱板２５が接地面に対して傾斜するように設定している。
【００４２】
加熱板２５は、概略矩形状に形成され、取付部２０の第２の側面２０ｂ側の辺２５ｂと、凹部１７の外周側の辺２５ｃと、凹部１７の中心側の辺２５ｄは、それぞれ第２の側面２０ｂ、凹部１７の外周側側面及び凹部１７の中心側側面に当接、もしくは、近接する状態に取り付けられる。加熱板２５の洗濯槽７回転方向側の辺２５ｅは、凹部１７側面との間に間隔を有し、加熱板２５の凹部１７中心側側面と第２の側面２０ｂとの間に位置する辺２５ｆは、円弧状に形成され、凹部１７中心側側面と第２の側面２０ｂとの間に間隔を有している。
【００４３】
加熱板２５には、温度センサ２３の上方位置に通孔２５ｇを形成している。加熱装置１９により加熱された洗濯液が通孔２５ｇから上方に通過するため、温度センサ２３周囲に加熱された洗濯液がとどまることがなく、温度センサ２３が洗濯液の温度を正確に検出することができる。
【００４４】
凹部１７の加熱装置１９近傍には、遮熱板２４と凹部１７側壁との間に循環水口３２が形成されている。循環水口３２には、循環ポンプ２７が接続され、循環ポンプ２７には、循環路２８の一端が接続される。循環路２８は、水槽５の外部に配設され、循環路２８の他端は、投入口１０近傍に形成した注水口２９に接続され、循環ポンプ２７によって洗濯液を注水口２９から洗濯槽７内の洗濯物に上方から供給する。
【００４５】
注水口２９は、循環水路の吐出口１６より上方に配置されている。循環ポンプ２７による洗濯液の循環量は、循環水路の洗濯液の循環量より大きく設定している。これにより、注水口２９から供給される洗濯液の量は多く、高い位置から供給されることになり、供給される洗濯液は、洗濯槽７内の洗濯物や洗濯液に当たって泡立ち、洗濯物を大量の泡で包み込んで汚れに作用し、洗浄性能を向上することができる。
【００４６】
上部ケース４の上面後部には、操作表示装置３０が配設され、操作表示装置３０を操作して各種運転コースを設定すると共に、設定された運転コース等を表示する。筐体１の開口２に臨む位置には、制御装置３３が配設され、制御装置３３により操作表示装置３０で選択された運転コースを実行する。
【００４７】
本実施の形態では、制御装置３３で実行する運転コースには、洗濯液を加熱して洗濯を行うコースと、洗濯液の非加熱状態で洗濯を行なうコースを設けている。
【００４８】
以上のように構成した洗濯機において、以下、その動作、作用を説明する。
【００４９】
外蓋１２及び蓋体１１を開き、投入口１０から洗濯槽７内に洗濯物を投入して外蓋１２及び蓋体１１を閉じ、操作表示装置３０の電源スイッチ（図示せず）を操作して電源を投入する。操作表示装置３０により運転コース等を選択し、スタートスイッチ（図示せず）を操作して運転を開始させる。
【００５０】
運転が開始されると、投入された洗濯物の量を検知した後、給水手段（図示せず）が作動して給水が開始され、洗剤ケース（図示せず）に投入された洗剤と共に水槽５内に洗濯
液が給水される。
【００５１】
水槽５内に所定量の洗濯液が貯留されると、循環ポンプ２７が作動して注水口２９から洗濯液が注水される（図３参照）。注水口２９からの洗濯液は、高い位置から供給されるので、洗濯槽７内の洗濯物に当たって泡立ち、泡は洗濯物の繊維の奥まで浸透して、汚れを包み込み、汚れを浮かせて洗い落とす。
【００５２】
水槽５への給水量は、洗濯槽７内に投入された洗濯物の量に応じて設定され、水位センサー（図示せず）により所定の水位を検知すると給水を停止し、モータ９が駆動してパルセータ８を交互に正逆回転させる。パルセータ８の回転により洗濯槽７内の洗濯物を洗濯液と共に撹拌し、洗濯物を洗濯する。
【００５３】
洗い工程においても、循環ポンプ２７の動作は継続される。泡立てた洗濯液を循環させて、泡を汚れに作用させ、効率よく汚れを落とすことができる。
【００５４】
洗い工程を所定時間継続し、洗いが終了すると、排水弁（図示せず）を開放し、排水を行なう。排水が終了すると、脱水を行なう。脱水は、洗濯槽７を一方向に、本実施の形態では、上方から見て洗濯槽７を時計方向に高速回転させることにより行なう。
【００５５】
脱水の後、給水手段を作動させて所定量の水を洗濯槽７に給水し、すすぎ工程を行い、さらに、脱水工程を行い、洗濯の各工程を終了する。
【００５６】
運転コースとして、洗濯液を加熱して洗濯を行うコースが選択された場合には、洗い工程において、洗濯液を加熱する加熱工程が行われる。運転が開始されると、投入された洗濯物の量を検知し、投入された洗濯物の量に応じて水槽５内へ給水される。給水とともに加熱装置１９に通電され、水槽５内の洗濯液を加熱する。
【００５７】
加熱装置１９により加熱された洗濯液は、上方に移動する。加熱装置１９の上方に位置する加熱板２５は、貫通孔２５ａ側に向かって漸次高くなるように傾斜して配設されているので、加熱された洗濯液は、加熱板２５に沿って貫通孔２５ａに導かれ貫通孔２５ａから加熱板２５の上方に移動する。
【００５８】
加熱板２５下方の洗濯液が加熱板２５の上方へ移動するため、低温の洗濯液が加熱板２５の周囲から加熱板２５の下方側へ流れ込む。加熱板２５は、洗濯槽７の回転方向側の辺２５ｅと、凹部１７中心側側面と第２の側面２０ｂとの間に位置する辺２５ｆとが、凹部１７側面との間に間隔を有しているので、加熱板２５の略対向する２辺から加熱板２５の下方に洗濯液が流れ込む。加熱板２５の略対向する２辺から加熱板２５の下方に洗濯液が流れ込むので、洗濯液が効率よく対流し、洗濯液を効率よく加熱することができる。なお、加熱装置１９は加熱板２５も加熱するので、洗濯液は加熱板２５によっても加熱され、洗濯液の加熱効率が向上する。
【００５９】
加熱板２５には、傾斜した上方側に貫通孔２５ａを形成しているので、加熱された洗濯液を効率よく上方に導くことができる。貫通孔２５ａは、加熱装置１９の上方位置から横方向にずれた位置に形成し、加熱装置１９の上方は、加熱板２５により覆われているので、加熱板２５によって異物が加熱装置１９に接触するのを抑制することが可能になる。
【００６０】
加熱工程においては、洗濯液が加熱装置１９によって加熱され、洗濯に適した所定の温度、本実施の形態では、約１５℃に加熱される。
【００６１】
洗濯液が所定温度より少許低い一定温度に達すると、循環ポンプ２７を作動し、洗濯液
を循環して注水口２９から洗濯物に供給させる。温めた洗濯液を循環させるので、粉末洗剤を効率よく溶かすことができ、粉末洗剤の溶け残りを抑制でき、洗濯効率を向上することができる。
【００６２】
注水口２９から供給される洗濯液は、高い位置から洗濯物に供給されるので、洗濯物に当たって泡立ち、泡が洗濯物に浸透し、繊維の奥に付着した汚れを洗い流す。洗濯液は温められているので、洗剤の酵素が活性化し、洗浄力を向上することができる。
【００６３】
洗濯液が所定の温度に達すると、パルセータ８を交互に正逆回転させる。パルセータ８の回転により洗濯槽７内の洗濯物を洗濯水と共に撹拌し、洗濯物を洗濯する。洗濯液を加熱して撹拌するので、粉末洗剤の溶け残りを抑制することができる。この状態においても循環ポンプ２７の動作を継続し、洗浄効率を向上させる。
【００６４】
パルセータ８が回転すると、洗濯液が羽根８ａの回転による遠心力でから外周側へ押しやられ、循環水路を上昇し、吐出口１６から洗濯槽７内の洗濯物に向かって散水される。
【００６５】
吐出口１６から洗濯物に散水される洗濯液は、所定の温度に加熱されているため、洗剤中の酵素が活性化して洗濯物の繊維に染み付いた汚れを効率よく洗浄することができる。
【００６６】
温水による洗い工程が終了すると、排水弁（図示せず）を開放し、排水を行なう。排水が終了すると、脱水を行なう。脱水は、洗濯槽７を一方向に、本実施の形態では、上方から見て洗濯槽７を時計方向に高速回転させることにより行なう。
【００６７】
脱水の後、給水手段を作動させて所定量の水を洗濯槽７に給水し、すすぎ工程を行い、さらに、脱水工程を行い、洗濯の各工程を終了する。
【００６８】
脱水工程においては、洗濯槽７を上方から見て時計方向に高速回転させて行う。洗濯槽７の回転により、水槽５内に図１１に示す矢印Ａ方向に気流が発生し、脱水された洗濯液が気流と共に流れる。
【００６９】
取付部２０の第１の側面２０ａは、上方になるに従って洗濯槽７の回転方向側に傾斜しているので、洗濯槽７の回転に伴う流れは、第１の側面２０ａの傾斜に沿って導かれる。第１の側面２０ａが傾斜しているので、洗濯槽７の回転に伴う流れが遮られるのが抑制され、乱流の発生が抑制され、振動の発生が抑制される。
【００７０】
第２の側面２０ｂは、加熱装置１９を装着するために略垂直に形成されているが、第１の側面２０ａよりも洗濯槽７の回転に伴う流れの下流側に位置するため、流れを妨げることがなく、乱流を発生させることがない。
【００７１】
加熱装置１９の上方を加熱板２５により覆い、さらに、加熱板２５は、水槽５底面及び取付部２０天面と略同じ高さに配設しているので、水槽５内を流れる洗濯液の流れを妨げることがなく、乱流の発生を抑制することができる。
【００７２】
水槽５底面は、凹部１７に向かって傾斜し、凹部１７底面は、排水口１８に向かって傾斜している。排水工程において、水槽５内の洗濯液は、排水口１８に向かって流れる。加熱装置１９は、排水口１８から離間した位置に配設しているので、水槽５内の回転軸６に対して加熱装置１９と対向する位置の洗濯液は、加熱装置１９を介することなく排水口１８から流出する。加熱装置１９を経由する洗濯液の量が減少するため、洗濯液に含まれるリントが加熱装置１９に付着するのが抑制される。
【００７３】
加熱装置１９に不具合が生じた場合など、加熱装置１９のメンテナンスが必要な場合には、洗濯機を扉体３が臨む位置まで回転させ、筐体１から扉体３を取り外す。加熱装置１９は、扉体３を取り外した開口２に臨む位置に配設されているため、扉体３を取り外すことにより加熱装置１９を視認することが可能となる。
【００７４】
加熱装置１９の両端の端子から配線を取り外し、固定ねじ（図示せず）を取り外すことにより加熱装置１９を水槽５から取り外すことが可能となる。加熱装置１９を水槽５から引き抜き、メンテナンスを行なうことができる。加熱装置１９を新たな加熱装置１９に交換する場合には、新たな加熱装置１９を水槽５の取付部２０の開口部２１に挿入し、固定ねじを螺合して、加熱装置１９を水槽５に固定し、加熱装置１９の端子に配線を取り付ける。扉体３を筐体１に取り付け、洗濯機を元の位置に戻すことによりメンテナンスが完了する。
【００７５】
水槽５底面は、排水口１８に向かって漸次低くなるように傾斜し、水槽５底面は、凹部１７の底面も含めて、外周側が最も高くなるように形成されている。水槽５底面には、裏面側に、凹部１７の裏面も含めて補強リブ３１を形成している。凹部１７裏面の外周側を高くすることにより、凹部１７裏面に位置する補強リブ３１の高さを高く形成することができ、凹部１７の強度を向上することができる。
【００７６】
加熱装置１９は、水槽５底面と略平行に装着されており、水平面に対して排水口１８側が低くなるように傾斜して配置されている。加熱装置１９が水槽５底面と略平行に配置されているので、排水口１８に向かって流れる排水の抵抗になりにくく、排水中に含まれるリントが加熱装置１９に絡みつくのを抑制することができる。
【００７７】
本実施の形態では、開口２を筐体１の背面側に形成したが、筐体１の側面に形成し、加熱装置１９を筐体１側面の開口２に臨ませてもよく、開口２を筐体１の前面に形成し、加熱装置１９を筐体１前面の開口２に臨ませても良い。
【００７８】
開口２を筐体１の側面、あるいは前面に配設することにより、メンテナンス時の洗濯機の移動量を低減でき、作業性を向上することができる。
【００７９】
（実施の形態２）
図１３は、本発明の第２の実施の形態の洗濯機の洗濯槽を上方から見た要部拡大平面図、図１４は、同要部断面図である。
【００８０】
本実施の形態２は、実施の形態１の加熱板２５と形状の異なる加熱板３５を用い、排水口１８の位置が異なっている以外は、実施の形態１と同じであるので、実施の形態１と同一部品は、同一符号を付して説明を省略する。
【００８１】
加熱装置１９の上方位置には、金属、本実施の形態では、ステンレスにより形成された加熱板３５が配設され、加熱装置１９は、加熱板３５により覆われた状態に構成される。加熱装置１９は、加熱板３５により覆われているので、加熱装置１９からの発熱が直接洗濯槽７に伝道されるのを抑制することができ、洗濯槽７底部の熱劣化を抑制することができる。
【００８２】
加熱板３５は、概略矩形状に形成され、取付部２０の第２の側面２０ｂ側の辺３５ｂと、凹部１７の外周側の辺３５ｃと、凹部１７の中心側の辺３５ｄは、それぞれ第２の側面２０ｂ、凹部１７の外周側側面及び凹部１７の中心側側面に当接、もしくは、近接する状態に取り付けられる。加熱板３５の辺３５ｃと辺３５ｄには、円弧状の切欠部３５ｈを形成し、洗濯液が対流するように構成している。加熱板３５の洗濯槽７回転方向側の辺３５
ｅは、凹部１７側面との間に間隔を有している。
【００８３】
加熱板２５は、辺３５ｅに向かって漸次高くなるように傾斜して装着されており、加熱装置１９により加熱された洗濯液が加熱板３５の傾斜によって効率よく辺３５ｅに導かれる。
【００８４】
本実施の形態では、加熱板３５は、水平に対する傾斜角を３度に設定している。本実施の形態の洗濯機は、設置時に許容される傾斜を水平に対して２度に設定しており、洗濯機が２度傾斜して設置された場合でも、加熱板３５が接地面に対して傾斜するように設定している。
【００８５】
加熱板３５には、温度センサ２３の上方位置に通孔３５ｇを形成している。加熱装置１９により加熱された洗濯液が通孔３５ｇから上方に通過するため、温度センサ２３周囲に加熱された洗濯液がとどまることがなく、温度センサ２３が洗濯液の温度を正確に検出することができる。
【００８６】
運転コースとして、洗濯液を加熱して洗濯を行うコースが選択された場合には、給水とともに加熱装置１９に通電され、水槽５内の洗濯液を加熱する。
【００８７】
加熱装置１９により加熱された洗濯液は、上方に移動する。加熱装置１９の上方に位置する加熱板３５は、辺３５ｅ側に向かって漸次高くなるように傾斜して配設されているので、加熱された洗濯液は、加熱板２５に沿って辺３５ｅに導かれ、辺３５ｅ側から加熱板３５の上方に移動する。
【００８８】
加熱板３５下方の洗濯液が加熱板３５の上方へ移動するため、低温の洗濯液が加熱板３５の周囲から加熱板３５の下方側へ流れ込む。加熱板３５は、辺３５ｃと辺３５ｄとに切欠部３５ｈを形成しているので、加熱板３５の略対向する２辺から加熱板３５の下方に洗濯液が流れ込む。加熱板３５の略対向する２辺から加熱板３５の下方に洗濯液が流れ込むので、洗濯液が効率よく対流し、洗濯液を効率よく加熱することができる。なお、加熱装置１９は加熱板３５も加熱するので、洗濯液は加熱板３５によっても加熱され、洗濯液の加熱効率が向上する。
【００８９】
加熱板３５には、傾斜して配設しているので、加熱された洗濯液を効率よく上方に導くことができる。加熱装置１９の上方は、加熱板３５により覆われているので、加熱板３５によって異物が加熱装置１９に接触するのを抑制することが可能になる。
【００９０】
排水口１８は、水槽５を上方から見て加熱板３５の辺３５ｅから外れた位置に配設しているので、排水は、加熱板３５により排水口１８に導かれ、排水に含まれるリントが加熱装置１９に絡みつくのを抑制することができる。
【産業上の利用可能性】
【００９１】
以上のように、本発明にかかる洗濯機は、メンテナンス時の作業性を向上することができるので、洗濯乾燥機、業務用洗濯機等の用途にも適用できる。
【符号の説明】
【００９２】
１  筐体
２  開口
３  扉体
５  水槽
７  洗濯槽
８  パルセータ
９  モータ
１７  凹部
１９  加熱装置
２０  取付部
２０ａ  第１の側面
２０ｂ  第２の側面
２１  開口部
２３  温度センサ
２４  遮熱板
２５  加熱板
２５ａ  貫通孔
２７  循環ポンプ
２８  循環路
２９  注水口
３５  加熱板
【図１】
2019146718.tif 000003
【図２】
2019146718.tif 000004
【図３】
2019146718.tif 000005
【図４】
2019146718.tif 000006
【図５】
2019146718.tif 000007
【図６】
2019146718.tif 000008
【図７】
2019146718.tif 000009
【図８】
2019146718.tif 000010
【図９】
2019146718.tif 000011
【図１０】
2019146718.tif 000012
【図１１】
2019146718.tif 000013
【図１２】
2019146718.tif 000014
【図１３】
2019146718.tif 000015
【図１４】
2019146718.tif 000016
【図１５】
2019146718.tif 000017